(57)【要約】【課題】室内を効率的に洗浄する室内洗浄装置を提供すること。【解決手段】床部、壁部及び天井部によって囲まれ、所定の機能を有する機能室と、当該機能室の室内に設けられ、床部、壁部及び天井部のうち少なくとも一部の領域に対して洗浄液を供給して領域を洗浄する洗浄部と、領域を洗浄した廃液を機能室の室外へ排出する洗浄液排出部とを備える。【選択図】図１
2014014756.tif 000002
【特許請求の範囲】
【請求項１】
床部、壁部及び天井部によって囲まれ、所定の機能を有する機能室と、
前記機能室の室内に設けられ、前記床部、前記壁部及び前記天井部のうち少なくとも一部の領域に対して洗浄液を供給して前記領域を洗浄する洗浄部と、
前記領域を洗浄した廃液を前記機能室の室外へ排出する洗浄液排出部と
を備える室内洗浄装置。
【請求項２】
前記洗浄部は、前記領域へ向けて前記洗浄液を噴射する噴射部を有する
請求項１に記載の室内洗浄装置。
【請求項３】
前記噴射部は、前記壁部及び前記天井部のうち少なくとも一方に設けられている
請求項２に記載の室内洗浄装置。
【請求項４】
前記噴射部は、移動可能に設けられている
請求項２又は請求項３に記載の室内洗浄装置。
【請求項５】
前記噴射部は、一方向に配列された複数の噴射口を有する
請求項２から請求項４のうちいずれか一項に記載の室内洗浄装置。
【請求項６】
複数の前記噴射口は、前記洗浄液を噴射する方向を調整可能である
請求項２から請求項５のうちいずれか一項に記載の室内洗浄装置。
【請求項７】
前記機能室は、排水口を有し、
前記排出口は、前記洗浄液排出部を兼ねている
請求項１から請求項６のうちいずれか一項に記載の室内洗浄装置。
【請求項８】
前記機能室は、浴槽を有する浴室として設けられ、
前記洗浄液として、前記浴槽に収容された収容液が用いられる
請求項１から請求項７のうちいずれか一項に記載の室内洗浄装置。
【請求項９】
前記室内を乾燥させる乾燥部を更に備える
請求項１から請求項８のうちいずれか一項に記載の室内洗浄装置。
【請求項１０】
前記噴射部に所定温度の水蒸気を供給する水蒸気供給部を更に備える
請求項１から請求項９のうちいずれか一項に記載の室内洗浄装置。
【請求項１１】
前記床部、前記壁部及び前記天井部の状態を撮像する撮像部を更に備える
請求項１から請求項１０のうちいずれか一項に記載の室内洗浄装置。
【発明の詳細な説明】
【技術分野】
【０００１】
本発明は、室内洗浄装置に関する。
【背景技術】
【０００２】
例えばトイレや食器洗浄装置などのように、床部、壁部及び天井部で囲まれ所定の機能を有する機能室には、当該機能室の室内に配置された対象物を洗浄する洗浄装置が設けられている（例えば、特許文献１参照）。
【先行技術文献】
【特許文献】
【０００３】
【特許文献１】特開２０１１−１４３３１５号公報
【発明の概要】
【発明が解決しようとする課題】
【０００４】
しかしながら、上記の洗浄装置は、室内に配置された対象物を洗浄することはできるものの、床部や壁部、天井部を洗浄することが困難であった。したがって、機能室の床部や壁部、天井部を洗浄する場合、手作業で行なう必要があり、非効率であった。
【０００５】
以上のような事情に鑑み、本発明は、室内を効率的に洗浄することが可能な室内洗浄装置を提供することを目的とする。
【課題を解決するための手段】
【０００６】
本発明の第一の態様に従えば、床部、壁部及び天井部によって囲まれ、所定の機能を有する機能室と、当該機能室の室内に設けられ、床部、壁部及び天井部のうち少なくとも一部の領域に対して洗浄液を供給して領域を洗浄する洗浄部と、領域を洗浄した廃液を機能室の室外へ排出する洗浄液排出部とを備える室内洗浄装置が提供される。
【発明の効果】
【０００７】
本発明の態様によれば、室内を効率的に洗浄する室内洗浄装置を提供することができる。
【図面の簡単な説明】
【０００８】
【図１】本発明の実施の形態に係る浴室の構成を示す斜視図。
【図２】本実施形態に係る浴室の構成を示す図。
【図３】本実施形態の変形例に係る浴室の構成を示す図。
【図４】本実施形態の変形例に係る浴室の構成を示す図。
【図５】本実施形態の変形例に係る浴室の構成を示す図。
【図６】本実施形態の変形例に係る浴室の構成を示す図。
【図７】本実施形態の変形例に係る浴室の構成を示す図。
【発明を実施するための形態】
【０００９】
以下、図面を参照して、本発明の実施の形態を説明する。  
図１は、本実施形態に係る浴室１００の構成を示す図である。  
図１に示すように、浴室１００は、床部１０１、壁部１０２及び天井部１０３によって囲まれている。浴室１００には、水や湯などの液体を収容可能な浴槽１１、液体を外部に排出する排水口１２、水や湯などの液体を吐出する蛇口１３及び蛇口１４などが設けられている。
【００１０】
排水口１２は、不図示の配管などを介して外部に接続されている。浴槽１１の底部１１ａには、浴槽排水口１１ｂが設けられている。浴槽排水口１１ｂは、上記の不図示の配管に接続されている。
【００１１】
また、浴室１００には、床部１０１及び壁部１０２に対して洗浄液を供給し当該床部１０１及び壁部１０２を洗浄する洗浄部２０が設けられている。洗浄部２０は、例えば天井部１０３に取り付けられている。洗浄部２０は、基部２１と、当該基部２１に設けられた洗浄液ノズル２２とを有する。
【００１２】
基部２１は、例えば天井部１０３の一方向に長手に形成されている。基部２１は、例えば不図示の移動機構によって短手方向に移動可能に設けられている。洗浄液ノズル２２は、基部２１の長手方向に複数並んで設けられている。複数の洗浄液ノズル２２は、例えば等ピッチで配置されている。
【００１３】
洗浄液ノズル２２は、例えば床部１０１や壁部１０２などへ向けて洗浄液を吐出する。当該洗浄液としては、例えば水、湯、洗剤などを用いることができる。また、例えばカビ殺菌機能をもつ液体を用いても良い。洗浄液ノズル２２は、基部２１を介して洗浄液の供給源（不図示）に接続されている。
【００１４】
洗浄液ノズル２２は、洗浄液の吐出方向を個別に変更可能に設けられている。例えば、洗浄液ノズル２２は、不図示の回転機構により、基部２１による支持位置を中心として回転可能に設けられている。洗浄液ノズル２２が回転することにより、洗浄液の吐出方向が変化するようになっている。勿論、他の形態によって洗浄液の吐出方向を変更する構成としても良い。これらの洗浄液ノズル２２からの洗浄液の吐出動作、洗浄液ノズル２２の回転動作などは、不図示のスイッチやリモコンなどを用いて適宜行わせることができるようになっている。
【００１５】
次に、上記のように構成された洗浄部２０の動作を説明する。  
まず、不図示のスイッチやリモコンなどを操作し、洗浄液ノズル２２を床部１０１へ向けた状態で、当該洗浄液ノズル２２から洗浄液を吐出させる。この動作により、洗浄液ノズル２２から床部１０１へ向けて重力方向に沿って洗浄液Ｑが吐出される。吐出された洗浄液Ｑは、床部１０１に到達した後、床部１０１に付着した異物などを洗い流す。洗浄液ノズル２２から吐出される洗浄液の流速又は流量については、床部１０１の異物を除去することができる程度の値に設定される。
【００１６】
また、例えば不図示のスイッチやリモコンなどを操作し、洗浄液ノズル２２による洗浄液の吐出方向を変更したり、洗浄液ノズル２２を短手方向に移動したりすることにより、床部１０１のみならず、壁部１０２や浴槽１１へ向けて洗浄液を吐出することができる。壁部１０２又は浴槽１１に到達した洗浄液は、当該壁部１０２又は浴槽１１に付着した異物を洗い流す。
【００１７】
床部１０１、壁部１０２又は浴槽１１に供給され、異物を洗い流した後の洗浄液Ｑは、床部１０１に設けられた排水口１２や浴槽１１の底部１１ａに設けられた浴槽排水口１１ｂを介して外部に排出される。このように、排水口１２は、蛇口１３や蛇口１４から吐出された水や湯を排出すると共に、洗浄液Ｑを排出する洗浄液排出部を兼ねることになる。
【００１８】
以上のように、本実施形態によれば、床部１０１、壁部１０２及び天井部１０３によって囲まれた浴室１００と、当該浴室１００の室内に設けられ、床部１０１及び壁部１０２の一部の領域に対して洗浄液Ｑを供給して当該領域を洗浄する洗浄部２０と、当該領域を洗浄した廃液を浴室１００の室外へ排出する排水口１２及び浴槽排水口１１ｂとを備えるので、浴室１００の室内を効率的に洗浄することができる。
【００１９】
本発明の技術範囲は上記実施形態に限定されるものではなく、本発明の趣旨を逸脱しない範囲で適宜変更を加えることができる。  
上記実施形態では、洗浄液ノズル２２から吐出される洗浄液が不図示の洗浄液供給源に接続された構成を例に挙げて説明したが、これに限られることは無い。
【００２０】
例えば、図３に示すように、浴槽１１に収容された残り湯を洗浄液として用いる構成としても良い。この場合、浴室１００には、図３に示すように、浴槽１１から基部２１を介して洗浄液ノズル２２に残り湯を供給するための配管１５及びポンプ１６が設けられている。この構成により、残り湯を効率的に再利用することができるため、低コストでの洗浄が実現される。
【００２１】
また、例えば蛇口１３及び蛇口１４から吐出される水や湯を洗浄液ノズル２２に引き回す構成としても良い。具体的には、図４に示すように、配管３１を介して基部２１に接続されたコネクタ３０が壁部１０２に設けられた構成とすることができる。この構成では、不図示の配管などを用いて蛇口１３及び蛇口１４とコネクタ３０とを接続することにより、蛇口１３及び蛇口１４から吐出される水や湯がコネクタ３０及び配管３１を経由して基部２１に送られる。なお、蛇口１３及び蛇口１４がコネクタ３０に直接接続される構成であっても良い。また、蛇口１４に接続されたシャワー吐出部１７がコネクタ３０に接続可能な構成であっても良い。
【００２２】
また、上記実施形態では、洗浄部２０が洗浄液ノズル２２から洗浄液を吐出する構成を例に挙げて説明したが、これに限られることは無い。例えば図５に示すように、洗浄液Ｑが壁部１０２に伝ってカーテン状に下方に流れるように、壁部１０２に当該洗浄液Ｑを供給する洗浄液供給部２３が設けられた構成であっても良い。洗浄液供給部２３は、例えば１つの壁部１０２の全面に亘って洗浄液Ｑが流れるように当該洗浄液Ｑを壁部１０２に供給する。
【００２３】
図５に示す構成においては、洗浄液供給部２３が２箇所に設けられ、４つの壁部１０２のうち対向する２つの壁部１０２に洗浄液Ｑを供給する構成を例に挙げて示しているが、これに限られることは無い。例えば、１つの壁部１０２、３つの壁部１０２及び全ての壁部１０２に洗浄液Ｑが供給されるように、それぞれ洗浄液供給部２３を配置する構成としても良い。
【００２４】
また、上記実施形態では、洗浄液ノズル２２から液体としての洗浄液Ｑが吐出される構成を例に挙げて説明したが、これに限られることは無い。例えば、図６に示すように、例えばスチームなどのミスト状の洗浄液Ｍを洗浄液ノズル２２から吐出可能な構成としても良い。この場合、基部２１にはミスト供給源４０が接続されており、当該ミスト供給源４０で生成されたミスト状の洗浄液Ｍが基部２１を介して洗浄液ノズル２２から吐出される構成となっている。この構成により、例えばスチームを浴室１００の室内に供給することにより、カビなどの汚れが除去されやすくなる。
【００２５】
また、上記実施形態の構成に加えて、例えば図７に示すように、天井部１０３などに浴室乾燥機５０が設けられた構成としても良い。これにより、洗浄液Ｑや洗浄液Ｍなどを用いて浴室１００を洗浄した後、浴室乾燥機５０を用いて浴室１００を乾燥させることができる。
【００２６】
また、上記実施形態においては、洗浄液ノズル２２を天井部１０３に一列に設置した構成を例に挙げて説明したが、これに限られることは無い。例えば、洗浄液ノズル２２を天井部１０３に複数列配置した構成であっても良いし、洗浄液ノズル２２を可動又は回転させつつ洗浄液Ｑを吐出可能な構成としても良い。これにより、洗浄液Ｑが浴室１００の全体に供給されることになる。また、壁部１０２に洗浄液ノズル２２を配置した構成としても良い。これにより、天井部１０３にも洗浄液Ｑを供給することができる。
【００２７】
なお、洗浄液ノズル２２は、上記のように洗浄用に用いる他、水や湯を吐出してマッサージ用に用いても構わない。また、浴室１００に洗濯物を吊るした状態で洗浄液ノズル２２から洗浄液Ｑとして洗剤を吐出させたり、洗浄液Ｍとしてスチームなどを吐出させたりすることで、洗濯を行わせるようにしても良い。
【００２８】
また、上記実施形態の構成に加えて、洗浄前及び洗浄後の浴室１００の画像を取得し、洗浄効果を判断する制御装置が設けられた構成であっても良い。この場合、制御装置は、洗浄効果に応じて洗浄部２０を作動させるようにする。
【００２９】
浴室１００の画像を取得する具体的な構成としては、例えば、全周囲カメラにより、浴室全体（床部１０１、壁部１０２、天井部１０３、浴槽１１）の画像を取得する構成としても良い。
【００３０】
制御装置は、取得した画像に対して所定の処理を行うことにより、汚れの分布、度合い、汚れの質（カビ、油膜、など）を認識判断することができる。この場合、全周囲カメラの撮像範囲を移動させる移動機構が設けられた構成としても良い。これにより、必要な部位の詳細画像を取得することができる。また、制御装置は、画像処理によってそれぞれの汚れ部位の位置を求めると共に、求めた位置を原点として各汚れ部位の空間的位置情報を算出する機能を有していても良い。
【００３１】
また、上記実施形態では、機能室として浴室１００を例に挙げて説明したが、これに限られることは無く、上記の洗浄部２０は、プールなどの更衣室やキッチンルームなどにおいても適用可能である。
【符号の説明】
【００３２】
Ｑ…洗浄液  Ｍ…洗浄液  １１…浴槽  １１ａ…底部  １１ｂ…浴槽排水口  １２…排水口  １３…蛇口  １４…蛇口  １５…配管  １６…ポンプ  １７…シャワー吐出部  ２０…洗浄部  ２１…基部  ２２…洗浄液ノズル  ２３…洗浄液供給部  ３０…コネクタ  ３１…配管  ４０…ミスト供給源  ５０…浴室乾燥機  １００…浴室  １０１…床部  １０２…壁部  １０３…天井部
【図１】
2014014756.tif 000003
【図２】
2014014756.tif 000004
【図３】
2014014756.tif 000005
【図４】
2014014756.tif 000006
【図５】
2014014756.tif 000007
【図６】
2014014756.tif 000008
【図７】
2014014756.tif 000009